(57)【要約】【課題】温度ヒューズの交換が円滑に行える光源装置、および投写型表示装置を提供する。【解決手段】光源装置１０は、ランプユニット３００と、温度ヒューズユニット４００と、ランプユニット３００の周囲に設けられ、温度ヒューズユニット４００が装着される装着板２５１と、を備える。ここで、温度ヒューズユニット４００は、ランプユニット３００の温度に基づいて、ランプユニット３００への電力供給を遮断する温度ヒューズ４０１と、温度ヒューズ４０１が出入りする開口４０８、４０９を有し温度ヒューズ４０１が収容されるヒューズ収容部４１１と、開口４０８、４０９を覆うホルダカバー４０３と、装着板２５１に装着されるネジ取付部４１２と、を含む。【選択図】図７
2013029616.tif 000002
【特許請求の範囲】
【請求項１】
光源部と、
温度ヒューズユニットと、
前記光源部の周囲に設けられ、前記温度ヒューズユニットが装着される装着部と、
を備え、
前記温度ヒューズユニットは、
前記光源部の温度に基づいて、前記光源部への電力供給を遮断する温度ヒューズと、
前記温度ヒューズが出入りする開口を有し前記温度ヒューズが収容されるヒューズ収容部と、
前記開口を覆うカバー部と、
前記装着部に装着される被装着部と、
を含む、
ことを特徴とする光源装置。
【請求項２】
請求項１に記載の光源装置において、
前記光源部を収容する光源収容部を、さらに備え、
前記装着部は、前記光源収容部の外側に設けられ、
前記温度ヒューズユニットは、前記カバー部が一方向にのみ移動することにより前記開口から離れるよう、前記一方向以外の前記カバー部の動きを規制する規制部を、さらに含み、
前記温度ヒューズユニットと前記光源収容部とが、前記カバー部が前記開口から離れるべく前記一方向に移動すると前記光源収容部に当たる位置関係となるように、前記被装着部が前記装着部に装着される、
ことを特徴とする光源装置。
【請求項３】
請求項１または２に記載の光源装置において、
前記温度ヒューズユニットは、前記ヒューズ収容部に収容された前記温度ヒューズから伸びる電線が外部に導出される前に通される電線収容部を、さらに含み、
前記電線収容部は、外部に導出された前記電線に加わる張力に対して前記温度ヒューズと前記電線との接合部に加わる張力が小さくなるように前記電線を引き回すための構造を有する、
ことを特徴とする光源装置。
【請求項４】
請求項３に記載の光源装置において、
前記被装着部は、前記装着部への装着方向から見たときに、前記ヒューズ収容部と前記電線収容部とで形成される領域の中央部に設けられる、
ことを特徴とする光源装置。
【請求項５】
請求項４に記載の光源装置において、
前記被装着部は、１本のネジによって前記装着部に装着される構成とされ、
前記温度ヒューズユニットと前記装着部との間には、前記温度ヒューズユニットが前記ネジによる固定部分を中心に前記装着方向に垂直な面内方向に回るのを防止する防止構造が設けられる、
ことを特徴とする光源装置。
【請求項６】
請求項１ないし５の何れか一項に記載の光源装置と、
前記光源装置から出射された光を変調する光変調部と、を備える、
ことを特徴とする投写型表示装置。
【発明の詳細な説明】
【技術分野】
【０００１】
本発明は、光源装置、および光源装置を備える投写型表示装置に関する。
【背景技術】
【０００２】
投写型表示装置（以下、「プロジェクタ」という）では、光源から出射された光が光変調素子よって変調され、変調された光（以下、「映像光」という）が、投写レンズによって被投写面に投写される。
【０００３】
光源は、動作時に大きく発熱するため、冷却ファンなどの冷却装置によって冷却される。光源の周囲には、何らかの原因により冷却性が低下し、光源が過熱状態となった際に、光源を保護するため、保護装置として、たとえば、温度ヒューズが配される。光源が過熱状態となり、温度ヒューズの温度が設定温度を超えると、温度ヒューズが切れて、光源への電力供給が強制的に遮断される。
【０００４】
かかるプロジェクタでは、通電時に温度ヒューズが誤って触れられないように、温度ヒューズの四方をカバーにより覆うような構成が採られ得る（特許文献１参照）。
【先行技術文献】
【特許文献】
【０００５】
【特許文献１】特開２００６−２１５１３８号公報
【発明の概要】
【発明が解決しようとする課題】
【０００６】
温度ヒューズが切れた場合には、温度ヒューズを交換する必要がある。上記のように、温度ヒューズがカバーで覆われる構成であっても、温度ヒューズの交換が円滑に行われることが望ましい。
【０００７】
本発明は、かかる課題に鑑みてなされたものであり、温度ヒューズの交換が円滑に行える光源装置、および投写型表示装置を提供することを目的とする。
【課題を解決するための手段】
【０００８】
本発明の第１の態様に係る光源装置は、光源部と、温度ヒューズユニットと、前記光源部の周囲に設けられ、前記温度ヒューズユニットが装着される装着部と、を備える。ここで、前記温度ヒューズユニットは、前記光源部の温度に基づいて前記光源部への電力供給を遮断する温度ヒューズと、前記温度ヒューズが出入りする開口を有し前記温度ヒューズが収容されるヒューズ収容部と、前記開口を覆うカバー部と、前記装着部に装着される被装着部と、を含む。
【０００９】
本発明の第１の態様に係る光源装置によれば、温度ヒューズがヒューズ収容部とカバー部とで覆われるので、誤って、温度ヒューズが人の手で触れられ難い。しかも、温度ヒューズを交換する際、作業者は、装着部から温度ヒューズユニットを取り外し、さらに、カバー部を取り外して、ヒューズ収容部から温度ヒューズを取り出せばよい。よって、作業者は、温度ヒューズを容易に交換できる。
【００１０】
第１の態様に係る光源装置は、前記光源部を収容する光源収容部を、さらに備えるような構成とされ得る。この場合、前記装着部は、前記光源収容部の外側に設けられる。さらに、前記温度ヒューズユニットは、前記カバー部が一方向にのみ移動することにより前記
開口から離れるよう、前記一方向以外の前記カバー部の動きを規制する規制部を含む。そして、前記温度ヒューズユニットと前記光源収容部とが、前記カバー部が前記開口から離れるべく前記一方向に移動すると前記光源収容部に当たる位置関係となるように、前記被装着部が前記装着部に装着される。
【００１１】
このような構成とすれば、温度ヒューズユニットが装着部に装着された状態で、誤って、ヒューズ収容部からカバー部が外され難くすることができる。
【００１２】
第１の態様に係る光源装置において、前記温度ヒューズユニットは、前記ヒューズ収容部に収容された前記温度ヒューズから伸びる電線が外部に導出される前に通される電線収容部を、さらに含むような構成とされ得る。この場合、前記電線収容部は、外部に導出された前記電線に加わる張力に対して前記温度ヒューズと前記電線との接合部に加わる張力が小さくなるように前記電線を引き回すための構造を有する。
【００１３】
このような構成とすれば、万一、外部から電線に張力が加えられても、温度ヒューズと電線との接合部に加わる張力を低減できる。よって、張力により温度ヒューズから電線が外れてしまうのを防止できる。
【００１４】
上記構成とした場合、前記被装着部は、前記装着部への装着方向から見たときに、前記ヒューズ収容部と前記電線収容部とで形成される領域の中央部に設けられるような構成とされ得る。
【００１５】
このような構成とすれば、装着部に対し、温度ヒューズユニットが中央部分で固定されるので、温度ヒューズユニットを一カ所で固定するような構成としても、温度ヒューズユニットを安定して固定できる。
【００１６】
さらに、上記構成とした場合、前記被装着部は、１本のネジによって前記装着部に装着される構成とされ得る。この場合、前記温度ヒューズユニットと前記装着部との間には、前記温度ヒューズユニットが前記ネジによる固定部分を中心に前記装着方向に垂直な面内方向に回るのを防止する防止構造が設けられる。
【００１７】
このような構成とすれば、１本のネジを外すだけで、温度ヒューズユニットを装着部から取り外すことができ、温度ヒューズの交換作業が一層容易になる。しかも、１本のネジで固定されても、温度ヒューズユニットがネジによる固定部分を中心に装着方向に垂直な面内方向に回るのを防止することができるので、温度ヒューズユニットをしっかりと固定できる。
【００１８】
本発明の第２の態様に係る投写型表示装置は、第１の態様に係る光源装置と、前記光源装置から出射された光を変調する光変調部と、を備える。
【００１９】
本発明の第２の態様に係る投写型表示装置によれば、第１の態様に係る光源装置と同様、温度ヒューズが、誤って、人の手に触れられ難くできるとともに、作業者が、温度ヒューズを容易に交換できる。
【発明の効果】
【００２０】
以上のとおり、本発明によれば、温度ヒューズの交換が円滑に行える光源装置、および投写型表示装置を提供することができる。
【００２１】
本発明の効果ないし意義は、以下に示す実施の形態の説明により更に明らかとなろう。ただし、以下の実施の形態は、あくまでも、本発明を実施化する際の一つの例示であって
、本発明は、以下の実施の形態に記載されたものに何ら制限されるものではない。
【図面の簡単な説明】
【００２２】
【図１】実施の形態に係るプロジェクタの外観構成を示す図である。
【図２】実施の形態に係るプロジェクタの内部構造を示す図である。
【図３】実施の形態に係る光学系の構成を示す図である。
【図４】実施の形態に係る光源装置の構成を示す図である。
【図５】実施の形態に係る光源装置の構成を示す図である。
【図６】実施の形態に係るランプユニットの構成を示す図である。
【図７】実施の形態に係る温度ヒューズユニットの構成を示す図である。
【図８】実施の形態に係る温度ヒューズユニットの構成を示す図である。
【図９】実施の形態に係る温度ヒューズユニットの構成を示す図である。
【図１０】実施の形態に係る温度ヒューズユニットの構成を示す図である。
【図１１】実施の形態に係る温度ヒューズユニットがランプ装着ユニットへ装着される前の状態を示す斜視図である。
【図１２】実施の形態に係るヒューズホルダの各リブが、それぞれ、装着板の各係合リブに係合される様子を模式的に示す図である。
【図１３】実施の形態に係る左後方の装着板に、温度ヒューズユニットが装着された状態を示す要部の断面図である。
【図１４】変更例に係る温度ヒューズユニットの構成を示す図である。
【図１５】更なる変更例に係る温度ヒューズユニットの構成を示す図である。
【発明を実施するための形態】
【００２３】
以下、図面を参照して、実施の形態に係るプロジェクタについて説明する。
【００２４】
＜プロジェクタの全体構成＞
図１は、プロジェクタの外観構成を示す図である。本実施の形態に係るプロジェクタは、４つのランプユニットを備えており、いわゆる、４灯タイプの大型のプロジェクタである。
【００２５】
図１を参照して、プロジェクタは、略直方体形状を有する本体キャビネット１を備えている。本体キャビネット１は、下キャビネット２と、下キャビネット２に上方から被せられる上キャビネット３とで構成されている。
【００２６】
上キャビネット３の前面中央部には投写窓４が形成されており、投写レンズ５の前面が投写窓４を通じて外部に露出している。
【００２７】
また、上キャビネット３には、前面から上面にかけて、メイン開口を覆うメインカバー６が設けられている。メイン開口は、投写レンズ５やプリズムユニットの交換、偏光板等の調整を行うために設けられている。上キャビネット３の上面後部には、４つのランプ用開口をそれぞれ覆う４つのランプ用カバー７が設けられている。各ランプ用開口は、各ランプユニットの交換を行うため、各ランプユニットの上方に設けられている。
【００２８】
さらに、上キャビネット３の右側面には、入出力端子部８が設けられている。入出力端子部８には各種ＡＶ端子が配されており、ＡＶ端子を通じてＡＶ（Audio Visual）信号が入力される。
【００２９】
下キャビネット２の左右の側面には、それぞれ、取手９が２つずつ設けられている。取手９は、プロジェクタを持ち運ぶ際に用いられる。
【００３０】
図２は、プロジェクタの内部構造を示す図であり、上キャビネット３が外された状態を示す。
【００３１】
図２を参照して、下キャビネット２の内部には、光源装置１０と、光源装置１０から出射された光を変調して映像光を生成する光学系１１とが配されている。
【００３２】
光源装置１０は、下キャビネット２の後部に配されている。光学系１１は、光源装置１０の前方に配されている。光学系１１は、下キャビネット２に配され、プリズムユニット１２が、上方から着脱ができるように、光学系１１に配されている。なお、光源装置１０および光学系１１の詳細な構成については追って説明する。
【００３３】
光学系１１の前方には、投写レンズ５が配されている。投写レンズ５は、光学系１１により生成された映像光を拡大し、スクリーン等の被投写面に投写する。
【００３４】
光学系１１の左側には、第１ランプ電源装置１３が配されており、光源装置１０の右側には、第２ランプ電源装置１４が配されている。第１ランプ電源装置１３は、左側の前後２つのランプユニットに対してそれぞれ電力を供給する２つのランプ電源を含む。第２ランプ電源装置１４は、右側の前後２つのランプユニットに対してそれぞれ電力を供給する２つのランプ電源を含む。
【００３５】
第２ランプ電源装置１４の前方には、メイン電源装置１５が配されている。メイン電源装置１５は、光学系１１を構成する電装部品（液晶パネル等）、制御基板１７等に電力を供給する。
【００３６】
第２ランプ電源装置１４の下には、ノイズフィルタを備えるフィルタユニット１６が配されている。商用電源からの交流電力がフィルタユニット１６を介して第１ランプ電源装置１３、第２ランプ電源装置１４およびメイン電源装置１５にそれぞれ供給される。
【００３７】
光学系１１の上方には、制御基板１７が配される。制御基板１７には、液晶パネル、ランプユニット等の電装部品を制御するための制御回路が備えられている。なお、図２では、光学系１１が見えるよう、制御基板１７が破線にて示されている。
【００３８】
光源装置１０は、光源装置１０の後側に配された第１排気ユニット１８、および第２排気ユニット１９を含む。第１排気ユニット１８および第２排気ユニット１９は、後述する第１冷却ユニットおよび第２冷却ユニットから４つのランプユニットに供給され、ランプユニットを冷却することにより温まった冷却風を吸い込んで、外部に排出する。
【００３９】
第１ランプ電源装置１３の前方には、第１電源冷却ファン２０が配されている。第１電源冷却ファン２０は、後方の第１ランプ電源装置１３に送風して第１ランプ電源装置１３を冷却する。第２ランプ電源装置１４とメイン電源装置１５の間には、第２電源冷却ファン２１が配されている。第２電源冷却ファン２１が動作すると、本体キャビネット１内に取り込まれた空気が、冷却風としてメイン電源装置１５を通り、第２電源冷却ファン２１に吸い込まれる。さらに、第２電源冷却ファン２１から送出された冷却風が第２ランプ電源装置１４に供給される。これにより、メイン電源装置１５および第２ランプ電源装置１４が冷却される。
【００４０】
＜光学系の構成＞
図３は光学系１１の構成を示す図である。
【００４１】
図３に示すように、光学系１１は、導光光学系１０１、３つの透過型の液晶パネル１０
２、１０３、１０４と、ダイクロイックプリズム１０５とを備えている。なお、液晶パネル１０２、１０３、１０４の入射側と出射側には図示しない偏光板が配されている。
【００４２】
光源装置１０から出射された白色光は、導光光学系１０１に入射する。導光光学系１０１は、フライアイインテグレータ、ＰＢＳアレイ、コンデンサレンズ、ダイクロイックミラー、平面ミラー、リレーレンズ等を備える。導光光学系１０１に入射した白色光は、赤色波長帯の光（以下、「Ｒ光」という）と、緑色波長帯の光（以下、「Ｇ光」という）と、青色波長帯の光（以下、「Ｂ光」という）に分離され、液晶パネル１０２、１０３、１０４に照射される。これら液晶パネル１０２、１０３、１０４によって変調されたＲ光、Ｇ光、Ｂ光は、ダイクロイックプリズム１０５によって色合成され、映像光として出射される。なお、液晶パネル１０２、１０３、１０４、ダイクロイックプリズム１０５は、一体化され、プリズムユニット１２を構成する。
【００４３】
なお、光学系１１を構成する光変調素子としては、上記透過型の液晶パネル１０２、１０３、１０４の他、反射型の液晶パネルや、ＭＥＭＳデバイスを用いることもできる。また、上記のように３つの光変調素子を備えた３板式の光学系ではなく、たとえば、１つの光変調素子とカラーホイールを用いた単板式の光学系とされても良い。
【００４４】
＜光源装置の構成＞
図４および図５は、光源装置１０の構成を示す図である。図４は光源装置１０を前斜め方向から見た斜視図であり、図５は光源装置１０を後斜め方向から見た斜視図である。
【００４５】
図４および図５を参照して、光源装置１０は、下キャビネット２に固定されたランプ装着ユニット２００と、ランプ装着ユニット２００に装着される４つのランプユニット３００により構成されている。
【００４６】
ランプ装着ユニット２００は、ハウジング２１０と、２つのミラー部材２２０と、４つの第１ＵＶカット部材２３０と、第２ＵＶカット部材２４０とを備えている。
【００４７】
ハウジング２１０は、樹脂材料により形成されており、中央に配された２つのミラー配置部２１１と、ミラー配置部２１１の両側に形成された４つのランプ収容部２１２とを備えている。前側のミラー配置部２１１の底面は、後側のミラー配置部２１１の底面より低くされている。また、前側の左右２つのランプ収容部２１２の底面は、後側の左右２つのランプ収容部２１２の底面よりも低くされている。ミラー配置部２１１には、ミラー部材２２０が配置され、ランプ収容部２１２には、ランプユニット３００が装着される。なお、ミラー配置部２１１の上方は、ミラー部材２２０が配置された後に、図示しないミラーカバーにより覆われる。
【００４８】
ミラー部材２２０は、Ｖ字状に形成されたベース部材２２１の前面に、Ｖ字状に形成された平面ミラー２２２が取り付けられた構成を有する。ミラー部材２２０は、ランプユニット３００から出射された光を反射して前方へ導く。
【００４９】
第１ＵＶカット部材２３０は、紫外線の通過を阻止するＵＶカットガラス２３１を備えている。各第１ＵＶカット部材２３０は、各ランプ収容部２１２と、それに対応するミラー配置部２１１との間に配される。
【００５０】
第２ＵＶカット部材２４０は、紫外線の通過を阻止するＵＶカットガラスであり、前側のミラー配置部２１１の前方に配置される。第２ＵＶカット部材２４０の高さは、後側のミラー部材２２０により反射されて前方に向かう光の光路より高くなるように設定されている。
【００５１】
図６は、ランプユニット３００の構成を示す図である。図６（ａ）は、ランプユニット３００を前斜め方向から見た斜視図である。図６（ｂ）は、ランプユニット３００を後斜め方向から見た斜視図である。
【００５２】
図６を参照して、ランプユニット３００は、ランプ３１０と、ランプ３１０を保持するランプホルダ３２０により構成されている。ランプ３１０は、白色の光を発する発光管３１１と、発光管３１１から発せられた白色光を反射するリフレクター３１２を備えている。ランプ３１０には、たとえば、超高圧水銀ランプ、キセノンランプ等が用いられる。
【００５３】
ランプホルダ３２０は、樹脂材料により形成されており、ホルダ本体３２１と底板３２２とを備えている。ホルダ本体３２１の前面には、ランプ３１０からの光が出射される出射窓３２３が形成されている。出射窓３２３には、耐熱性のガラス板３２４が嵌め込まれている。ホルダ本体３２１は底面が開口しており、下方からランプ３１０が装着される。ホルダ本体３２１の底面の前半分に底板３２２が取り付けられ、底板３２２によってランプ３１０の底部が支えられる。
【００５４】
ホルダ本体３２１の上面には取手３２５が設けられている。取手３２５は、ランプユニット３００を持ち運ぶ際やランプ装着ユニット２００に対して着脱する際に用いられる。
【００５５】
図４および図５に戻り、ランプ装着ユニット２００に４つのランプユニット３００が組み込まれた状態において、左右の前後２つのランプユニット３００は、それぞれ、互いに隣接している。また、前列の左右２つのランプユニット３００は、前側のミラー部材２２０を挟んで対向しており、後列の左右２つのランプユニット３００は、後側のミラー部材２２０を挟んで対向している。
【００５６】
プロジェクタの運転が行われると、各ランプユニット３００から光が出射される。図４に示すように、各ランプユニット３００から出射された光は、対応する第１ＵＶカット部材２３０を通過し、その際に紫外線が除去される。そして、各第１ＵＶカット部材２３０を通過した光は、各ランプユニット３００に対応するミラー部材２２０により光源装置１０の前方に反射されて一つの光に合成される。このとき、前方の２つのランプユニット３００は、後方の２つのランプユニット３００より低い位置に配されている。このため、後方のランプユニット３００からの光が前方のランプユニット３００に遮られることはない。合成された光は、第２ＵＶカット部材２４０を通過し、さらに紫外線が除去される。このようにして、４つのランプユニット３００からの光が合成されことにより、光源装置１０からは高輝度な光が出射される。
【００５７】
ランプ装着ユニット２００の後面には、左側に第１排気ユニット１８が、右側に第２排気ユニット１９が、中央に第３排気ユニット２２が、それぞれ取り付けられている。また、ランプ装着ユニット２００の底面には、左側に第１冷却ユニット２３が、右側に第２冷却ユニット２４が、それぞれ取り付けられている。
【００５８】
第１冷却ユニット２３は、左側の前後のランプ収容部２１２にそれぞれ対応する２つの冷却ファンを備えており、これら冷却ファンから送出された冷却風が、対応するランプ収容部２１２に供給される。これにより、左側の前後２つのランプユニット３００が冷却される。
【００５９】
第２冷却ユニット２４は、右側の前後のランプ収容部２１２にそれぞれ対応する２つの冷却ファンを備えており、これら冷却ファンから送出された冷却風が、対応するランプ収容部２１２に供給される。これにより、右側の前後２つのランプユニット３００が冷却さ
れる。
【００６０】
第１排気ユニット１８には、２つの排気ファン１８ａ、１８ｂが上下２段に配されている。上側の排気ファン１８ａは、左後ろのランプ収容部２１２内のランプユニット３００を冷却することにより温まった冷却風を吸い込んで外部に排出する。また、下側の排気ファン１８ｂは、左前のランプ収容部２１２内のランプユニット３００を冷却することにより温まった冷却風を、ダクト２５０を介して吸い込み、外部に排出する。
【００６１】
第２排気ユニット１９には、２つの排気ファン１９ａ、１９ｂが上下２段に配されている。上側の排気ファン１９ａは、右後ろのランプ収容部２１２内のランプユニット３００を冷却することにより温まった冷却風を吸い込んで外部に排出する。また、下側の排気ファン１９ｂは、右前のランプ収容部２１２内のランプユニット３００を冷却することにより温まった冷却風を、ダクト２６０を介して吸い込み、外部に排出する。
【００６２】
第３冷却ユニット２２には、排気ファン２２ａが配されている。排気ファン２２ａは、前後のミラー配置部２１１内の空気を吸い込んで外部に排出する。これにより、ミラー配置部２１１内には、新たな空気が導入され、導入された空気によりミラー部材２２０が冷却される。
【００６３】
各ランプ収容部２１２の側壁２１２ａの近傍には、各ランプユニット３００に対応する温度ヒューズユニット４００が配されている。左側の前後２つの温度ヒューズユニット４００は、ダクト２５０の前側および後側に形成された装着板２５１に装着されている。また、右側の前後２つの温度ヒューズユニット４００は、ダクト２６０の前側および後側に形成された装着板２６１に装着されている。
【００６４】
温度ヒューズユニット４００は、温度ヒューズ（後述する）を含む。温度ヒューズは、フィルタユニット１６からランプ電源装置１３、１４への交流電力の供給ラインに配されている。第１冷却ユニット２３および第２冷却ユニット２４の冷却性が低下するなど、何らかの要因によりランプユニット３００が過熱状態となり、温度ヒューズの温度が設定温度を超えると、温度ヒューズが切れる。これにより、ランプ電源装置１３、１４へ交流電力が供給されなくなるため、ランプユニット３００への電力供給が遮断される。
【００６５】
なお、左側の前後２つのランプユニット３００に対する２つの温度ヒューズは、電気的に直列に接続されており、フィルタユニット１６を通過した交流電力は、２つの温度ヒューズを通過した後に分電されて、各ランプユニット３００に対応するランプ電源に供給される。この場合、左側の前後２つの温度ヒューズの何れか１つが切れれば、左側の前後のランプユニット３００の双方への電力供給が遮断される。同様に、右側の前後２つのランプユニット３００に対する２つの温度ヒューズは、電気的に直列に接続されており、フィルタユニット１６を通過した交流電力は、２つの温度ヒューズを通過した後に分電されて、各ランプユニット３００に対応するランプ電源に供給される。この場合、右側の前後２つの温度ヒューズの何れ１つが切れれば、右側の前後のランプユニット３００の双方への電力供給が遮断される。
【００６６】
なお、４つの温度ヒューズは、全て電気的に直列に接続されても良い。この場合、４つの温度ヒューズのうち、何れかが１つが切れれば、全てのランプユニット３００への電力供給が遮断される。また、４つの温度ヒューズは、全て電気的に並列に接続されても良い。この場合、切れた温度ヒューズに対応するランプユニット３００への電力供給が遮断される。
【００６７】
各装着板２５１、２６１には、温度ヒューズユニット４００に隣接するようにして、中
継ユニット２７０が装着されている。ランプ電源装置１３、１４側からの電線と、ランプユニット３００側からの電線とが中継ユニット２７０によって中継される。
【００６８】
＜温度ヒューズユニットの構成＞
図７から図１０は、温度ヒューズユニット４００の構成を示す図である。図７は、斜め後方から見た、温度ヒューズユニット４００の分解斜視図である。図８（ａ）、（ｂ）は、それぞれ、斜め前方および斜め下方から見たヒューズホルダ４０２の斜視図である。図８（ｃ）は、図９（ａ）のＡ−Ａ´線に沿って切断された、ヒューズホルダ４０２の底部の断面図である。図９（ａ）は、温度ヒューズ４０１が取り付けられていない状態のヒューズホルダ４０２の平面図であり、図９（ｂ）は、温度ヒューズ４０１が取り付けられた状態のヒューズホルダ４０２の平面図である。図１０は、斜め前方から見た、組み立てられた状態の温度ヒューズユニット４００の斜視図である。
【００６９】
温度ヒューズユニット４００は、温度ヒューズ４０１と、ヒューズホルダ４０２と、ホルダカバー４０３とを備えている。温度ヒューズ４０１には左右両端に端子４０４、４０５が設けられている。これら端子４０４、４０５には、たとえば、カシメ構造により、それぞれ電線４０６、４０７が接続されている。温度ヒューズ４０１には、たとえば、感温ペレットタイプの温度ヒューズが用いられる。
【００７０】
ヒューズホルダ４０２は、上面全体と前面中央部が開口している。以下、それぞれの開口を、上面開口４０８および前面開口４０９と称する。前面開口４０９の上縁は、上面開口４０８に繋がっており右縁および左縁は、一段後方に下がっている。また、前面開口の下縁には、溝部４１０が形成されている。
【００７１】
ヒューズホルダ４０２は、ヒューズ収容部４１１と、ネジ取付部４１２と、電線収容部４１３により構成される。ヒューズ収容部４１１は、ヒューズホルダ４０２の前側に位置している。ヒューズ収容部４１１の底部に、温度ヒューズ４０１が取り付けられる。図７（ｃ）および図８（ａ）に示すように、ヒューズ収容部４１１の底部には、左側に、所定の隙間を有して前後に対向する一対のリブ４１５が設けられており、右側にも、同様に、一対のリブ４１６が設けられている。また、中央部には、前壁に爪部４１７が形成されている。図８（ａ）に示すように、溝部４１０には、爪部４１７の周辺に、ヒューズ収容部４１１の底面から溝部４１０の底面にかけて開口４１８が形成されている。これにより、破線に示すように、爪部４１７の周辺の前壁が前方に撓みやすくなっている。
【００７２】
ネジ取付部４１２は、ヒューズホルダ４０２の中央部に位置している。ネジ取付部４１２には、外底面に２つのボス４１８、４１９が形成されている。これらボス４１８、４１９は、リブ４２０によって連結されている。ボス４１８、４１９には、ネジ取付部４１２の底面を貫通する貫通孔４１８ａ、４１９ａが形成されている。温度ヒューズユニット４００が装着板２５１、２６１に固定される際、何れかの貫通孔４１８ａ、４１９ａにネジ４２１が通される。
【００７３】
ヒューズ収容部４１１の外底面には、脚部４２２が形成されている。脚部４２２は、前後方向に延び、それぞれのボス４１８、４１９に繋がる縦リブ４２２ａ、４２２ｂと、縦リブ４２２ａ、４２２ｂの前方において、左右に延びる横リブ４２２ｃとにより構成されている。脚部４２２は、ボス４１８、４１９と同じ高さを有する。さらに、ヒューズ収容部４１１の外底面には、脚部４２２の左右両側に、Ｌ字型のリブ４２３、４２４が形成されている。温度ヒューズユニット４００が装着板２５１、２６１に装着されたとき、ボス４１８、４１９、脚部４２２、およびリブ４２３、４２４が装着板２５１、２６１の上面に接する。
【００７４】
電線収容部４１３には、中央部に取付ボス４２５が形成されている。取付ボス４２５には、ネジ孔４２５ａが形成されている。また、電線収容部４１３には、左右の側面寄りに、それぞれ、円筒状のガイド部４２６、４２７が形成されている。
【００７５】
電線収容部４１３の左右の側面には、それぞれ取出口４２８、４２９が形成されている。取出口４２８、４２９は、上端部の幅が他の部分の幅より狭くなるように形成されている。また、電線収容部４１３の左右の側面には、上端部に、内側に突出する突起４３０、４３１が形成されている。
【００７６】
電線収容部４１３の後面には、左右２カ所にフック部４３２、４３３が形成されている。フック部４３２、４３３は、側方から見て略Ｌ字形状を有している。フック部４３２、４３３の先端部には、フック部４３２、４３３に通された電線が上方に外れにくくなるよう、爪部４３２ａ、４３３ａが形成されている。
【００７７】
ヒューズ収容部４１１と電線収容部４１３との間は、ネジ取付部４１２の左右において、仕切壁４３４、４３５により仕切られている。仕切壁４３４、４３５の上部には、切欠部４３４ａ、４３５ａが形成されている。
【００７８】
なお、温度ヒューズユニット４００が装着板２５１、２６１に装着された状態で、隣接する中継ユニット２７０に干渉しないよう、ヒューズホルダ４０２は、電線収容部４１３の底面が、ヒューズ収容部４１１およびネジ取付部４１２の底面よりも高くなるように構成されている。即ち、ヒューズホルダ４０２は、側方から見て略逆Ｌ字型となるように構成されている。
【００７９】
ホルダカバー４０３は、上面カバー４３６と、上面カバー４３６の前端部から下方に延びる前面カバー４３７とを含む。上面カバー４３６には、ネジ取付部４１２に対応する位置に、開口部４３８が形成されている。また、取付ボス４２５のネジ孔４２５ａに対応する位置に、貫通孔４３９が形成されている。ホルダカバー４０３がヒューズホルダ４０２に固定される際、貫通孔４３９にネジ４４０が通される。
【００８０】
温度ヒューズユニット４００が組み立てられる際には、まず、図７の黒矢印で示すように、温度ヒューズ４０１が上方からヒューズ収容部４１１の底部に収容される。このとき、温度ヒューズの直径は、ヒューズ収容部４１１の爪部４１７と、爪部４１７に対面する壁との間隔よりやや大きいため、爪部４１７を前方に押すようにして、温度ヒューズ４０１が爪部４１７と壁との間を通される。
【００８１】
図９（ｂ）に示すように、温度ヒューズ４０１は、ヒューズ収容部４１１の底部において、左側の一対のリブ４１５と右側の一対のリブ４１６との間に配される。一対のリブ４１５、４１６における対向するリブの間隔は、温度ヒューズ４０１よりも狭いため、これら一対のリブ４１５、４１６によって、温度ヒューズの左右方向への動きが規制される。また、温度ヒューズの上方には、爪部４１７が張り出すので、爪部４１７によって温度ヒューズ４０１の上方への動きが規制される。ここで、ヒューズホルダ４０２には、前面開口４０９が設けられている。これにより、ユーザは、温度ヒューズ４０１を円滑にヒューズ収容部４１１の底部に収容することができる。
【００８２】
温度ヒューズ４０１がヒューズ収容部４１１に収容されると、図９（ｂ）のように、電線４０６、４０７の配線作業が行われる。なお、図９（ｂ）において、電線収容部４１３に導入されてから先の電線４０６、４０７が、便宜上、太い実線、または太い点線により表わされている。
【００８３】
温度ヒューズ４０１の左側の端子４０４に繋がっている電線４０６は、図９（ｂ）の太い実線で示すように、切欠部４３４ａを通じて電線収容部４１３に導入され、ガイド部４２６の外周面に略半周に亘って沿わされた後、取出口４２８からヒューズホルダ４０２の外部に引き出される。一方、温度ヒューズ４０１の右側の端子４０５に繋がっている電線４０７は、図９（ｂ）の太い実線で示すように、切欠部４３５ａを通じて電線収容部４１３に導入され、ガイド部４２７の外周面に略半周に亘って沿わされた後、取出口４２９からヒューズホルダ４０２の外部に引き出される。引き出された電線４０７は、さらに、電線収容部４１３の後面側に回され、フック部４３３とフック部４３２に順次通されて、電線４０６と同じ方向に導かれる。
【００８４】
電線４０６、４０７が電線収容部４１３内で、上記のように引き回されることにより、電線４０６、４０７と切欠部４３４ａ、４３５ａとの接触抵抗や電線４０６、４０７とガイド部４２６、４２７との接触抵抗などにより、外部に引き出された電線４０６、４０７に張力が加わっても、電線収容部４１３内では張力に対する抵抗力が生じる。よって、何らかの原因により、外部の電線４０６、４０７に張力が加わっても、電線４０６、４０７と温度ヒューズ４０１（端子４０４、４０５）との接合部に加わる張力が低減される。
【００８５】
なお、４つの温度ヒューズユニット４００のうち、ランプ装着ユニット２００の左後方に配置される温度ヒューズユニット４００については、図９（ｂ）の太い点線で示すように、電線収容部４１３に導入された電線４０７が、ガイド部４２７に巻かれることなく、取出口４２８の方向へ導かれ、取出口４２８からヒューズホルダ４０２の外部に引き出される。
【００８６】
こうして、温度ヒューズ４０１がヒューズホルダ４０２に収容され、ヒューズホルダ４０２内での配線作業が完了すると、ヒューズホルダ４０２に、ホルダカバー４０３が装着される。
【００８７】
ヒューズホルダ４０２の左右側面および後面は、ヒューズホルダ４０２の前面、ネジ取付部４１２、仕切壁４３４、４３５、ガイド部４２６、４２７および取付ボス４２５より高くされている。また、左右側面の上端に突起４３０、４３１が形成されている。よって、図７の白抜き矢印で示すように、上面カバー４３６が、ヒューズホルダ４０２の前方から、突起４３０、４３１と、ヒューズホルダ４０２の前面、ネジ取付部４１２、仕切壁４３４、４３５、ガイド部４２６、４２７および取付ボス４２５との間をスライドされることにより、ホルダカバー４０３が、ヒューズホルダ４０２に装着される。上面開口４０８が完全に覆われるまでホルダカバー４０３がスライドされると、ホルダカバー４０３における開口部４３８および貫通孔４３９が、それぞれ、ヒューズホルダ４０２におけるネジ取付部４１２の上面および取付ボス４２５のネジ孔４２５ａに整合する。ホルダカバー４０３の前面カバー４３７の上下の長さは、前面開口４０９より僅かに長くされている。このため、前方からスライドさせただけでは、前面カバー４３７の下端部がヒューズホルダ４０２の前面に接触する。ホルダカバー４０３は、その厚みが薄くされており、上面カバー４３６および前面カバー４３７はともに撓むことができる。よって、上面カバー４３６が最後までスライドされると、上面カバー４３６の前側を上方に撓ませるようにして前面カバー４３７が持ち上げられ、前面カバー４３７の下端部がヒューズホルダ４０２の前面に当たらない位置まで来ると、前面カバー４３７が溝部１０へ下される。これにより、前面カバー４３７の下端部がヒューズホルダ４０２の溝部４１０に差し込まれる。
【００８８】
なお、ヒューズホルダ４０２の左右側面および後面、ならびに２つの突起４３０、４３１により、本発明の規制部が構成されている。
【００８９】
このようにして、ヒューズホルダ４０２にホルダカバー４０３が装着されると、ヒュー
ズホルダ４０２の上面開口４０８および前面開口４０９が、それぞれホルダカバー４０３の上面カバー４３６および前面カバー４３７に覆われる。これにより、温度ヒューズ４０１がヒューズホルダ４０２とホルダカバー４０３で覆われた状態となる。
【００９０】
最後に、ネジ４４０が貫通孔４３９に通され、取付ボス４２５のネジ孔４２５ａに止められる。これにより、ホルダカバー４０３がヒューズホルダ４０２に固定され、図１０に示すように、温度ヒューズユニット４００の組み立てが完了する。なお、図１０では、取出口４２９から引き出される電線４０７が図示省略されている。
【００９１】
＜温度ヒューズユニットのランプ装着部への装着構造＞
図１１は、温度ヒューズユニット４００がランプ装着ユニット２００へ装着される前の状態を示す斜視図である。図１１には、ランプ装着ユニット２００の左側の２つの装着板２５１と、これら装着板２５１に装着される温度ヒューズユニット４００が示されている。
【００９２】
図１１に示すように、装着板２５１には、温度ヒューズユニット４００を固定するための構造として、ネジ孔２５２と、ネジ孔２５２の両側に形成されたＬ字型の係合リブ２５３、２５４が形成されている。
【００９３】
図１２は、ヒューズホルダ４０２の各リブ４２３、４２４が、それぞれ、装着板２５１の各係合リブ２５３、２５４に係合される様子を模式的に示す図である。
【００９４】
温度ヒューズユニット４００は、図１２の示すように、各リブ４２３、４２４が、それぞれ、対応する係合リブ４２３、４２４に係合される状態となるよう、装着板２５１上に配置される。このとき、温度ヒューズユニット４００の２つの貫通孔４１８ａ、４１９ａのうち、温度ヒューズユニット４００に応じて予め決められた貫通孔が、装着板２５１のネジ孔２５２に整合する。この状態で、ホルダカバー４０３の開口部４３８を通じて、ネジ４２１がネジ取付部４１２内に挿入され、挿入されたネジ４２１がネジ孔２５２に整合する貫通孔（貫通孔４１８ａまたは貫通孔４１９ａ）に通されてネジ孔２５２に止められる（図１３参照）。これにより、温度ヒューズユニット４００が装着板２５１に固定される。
【００９５】
ここでは、ランプ装着ユニット２００の左側の装着板２５１への温度ヒューズユニット４００の装着構造について説明したが、ランプ装着ユニット２００の右側の２つの装着板２６１への温度ヒューズユニット４００装着構造も同様な装着構造が採られている。よって、ここでは、説明を省略する。
【００９６】
図１３は、左後方の装着板２５１に、温度ヒューズユニット４００が装着された状態を示す要部の断面図であり、光源装置１０の左右方向で切断した断面図である。図１３では、温度ヒューズユニット４００と中継ユニット２７０との配置関係が分かるように、実際には、断面部分より手前に配されている中継ユニット２７０が一点鎖線で示されている。
【００９７】
図１３に示すように、温度ヒューズユニット４００が装着板２５１に装着された状態において、ヒューズホルダ４０２の電線収容部４１３が、中継ユニット２７０より高い位置にある。このため、温度ヒューズユニット４００が中継ユニット２７０に干渉しない。また、ヒューズホルダ４０２の前面が、ランプ収容部２１２の側壁２１２ａに近接対向する。これにより、ヒューズホルダ４０２内の温度ヒューズ４０１が、ランプ収容部２１２の近傍位置に配されることとなる。
【００９８】
ここで、温度ヒューズユニット４００が装着板２５１、２６１に装着された状態で、作
業者により、誤ってネジ４４０が取り外され、ヒューズホルダ４０２とホルダカバー４０３との固定が解除される場合が生じ得る。こうなると、ホルダカバー４０３は、ヒューズホルダ４０２の左右側面および後面により左右方向および後方への動きが規制され、突起４３０、４３１により上方への動きが規制されているが、前方へスライドすることが可能となる。しかしながら、図１３の破線に示すように、ホルダカバー４０３が前方に動かされても、上面カバー４３６が突起４３０、４３１より前方に移動する前に、前面カバー４３７がランプ収容部２１２の側壁２１２ａに当たる。よって、ホルダカバー４０３がヒューズホルダ４０２から外れない。
【００９９】
＜本実施の形態の効果＞
以上、本実施の形態によれば、温度ヒューズ４０１がヒューズホルダ４０２（ヒューズ収容部４１１）とホルダカバー４０３とで覆われるので、誤って、温度ヒューズが人の手で触れられ難い。しかも、温度ヒューズ４０１を交換する際、作業者は、装着板２５１、２６１から温度ヒューズユニット４００を取り外し、さらに、ホルダカバー４０３を取り外して、ヒューズホルダ４０２から温度ヒューズ４０１を取り出せばよい。よって、作業者は、温度ヒューズ４０１を容易に交換できる。
【０１００】
また、本実施の形態によれば、装着状態において、温度ヒューズユニット４００の前面が、ランプ収容部２１２の側壁２１２ａに近接する構成とされ、ホルダカバー４０３が外れる方向にスライドしても、側壁２１２ａに当たることで、ヒューズホルダ４０２から取り外せる位置まで移動できない構成とされている。よって、誤って、ヒューズホルダ４０２からホルダカバー４０３が外され、温度ヒューズ４０１が外部にさらされるのを防止できる。
【０１０１】
さらに、本実施の形態によれば、温度ヒューズ４０１から伸びる電線４０６、４０７が、外部から加わる張力に対して温度ヒューズ４０１と電線４０６、４０７との接合部に加わる張力が小さくなるように、電線収容部４１３内で引き回された後、外部に引き出される構成とされている。このため、万一、外部から電線４０６、４０７に張力が加えられても、温度ヒューズ４０１と電線４０６、４０７との接合部に加わる張力を低減できる。よって、張力により温度ヒューズ４０１から電線４０６、４０７が外れてしまうのを防止できる。
【０１０２】
また、万一、温度ヒューズ４０１と電線４０６、４０７との接続が外れても、温度ヒューズ４０１に接続されていた電線４０６、４０７の先端部が、電線収容部４１３の外部まで引き出され難い。よって、通電状態で電線４０６、４０７の先端部が外部にさらされるのを防止できる。
【０１０３】
さらに、本実施の形態によれば、ネジ取付部４１２が、装着板２５１、２６１への装着方向から見たときに、ヒューズホルダ４０２の中央部に設けられている。これにより、装着板２５１、２６１に対し、温度ヒューズユニット４００が中央部分で固定されるので、温度ヒューズユニット４００を一カ所で固定するような構成としても、温度ヒューズユニット４００を安定して固定できる。
【０１０４】
さらに、本実施の形態によれば、ネジ取付部４１２が、１本のネジによって装着板２１５、２１６に装着される構成とされているので、１本のネジを外すだけで、温度ヒューズユニット４００を装着板２５１、２６１から取り外すことができ、温度ヒューズ４０１の交換作業が一層容易になる。
【０１０５】
このように、１本のネジ４２１により温度ヒューズユニット４００が装着板２５１に固定される場合、温度ヒューズユニット４００は、ネジ４２１による固定部分を中心にして
装着方向と垂直な面内方向に回り易い、即ち、温度ヒューズユニット４００が装着板２５１の上面に沿って回り易い。
【０１０６】
この点、本実施の形態では、ヒューズホルダ４０２のリブ４２３、４２４と装着板２５１の係合リブ２５３、２５４とが係合しているため、温度ヒューズユニット４００が、装着板２５１の上面に沿って回るのが防止される。よって、温度ヒューズユニット４００を装着板２５１にしっかりと固定できる。
【０１０７】
なお、本実施の形態では、ヒューズホルダ４０２のリブ４２３、４２４と装着板２５１の係合リブ２５３、２５４により、本発明の防止構造が実現されている。
【０１０８】
＜その他＞
以上、本実施の形態について説明したが、本発明は上記実施の形態に何ら制限されるものではなく、また、本発明の実施形態も、上記実施の形態に以外に、種々の変更が可能である。
【０１０９】
たとえば、上記実施の形態では、中継ユニット２７０に干渉しないよう、電線収容部４１３に底面が、ヒューズ収容部４１１およびネジ取付部４１２の底面に比べて高くなるよう構成されている。即ち、ヒューズ収容部４１１およびネジ取付部４１２は、電線収容部４１３に比べて底が深くなる形状とされている。
【０１１０】
しかしながら、中継ユニット２７０など他の構成部品と干渉する虞なく、装着板２５１に装着できるのであれば、図１４に示すように、電線収容部４１３に底面と、ヒューズ収容部４１１およびネジ取付部４１２の底面とが等しい高さとなるよう、ヒューズ収容部４１１およびネジ取付部４１２が、底が浅くなるように形成されても良い。この場合、ヒューズ収容部４１１は底が浅くなり、温度ヒューズ４０１が上方からヒューズ収容部４１１へ収容されやすくなるので、ヒューズホルダ４０２に前面には、前面開口４０９が形成されない。
【０１１１】
また、上記実施の形態では、ネジ取付部４１２に２つの貫通孔４１８ａ、４１９ａが形成されて、温度ヒューズユニット４００に応じて、ネジ４２１の取り付けに用いられる貫通孔が変えられる構成とされている。しかしながら、ネジ取付部４１２には、１つの貫通孔のみが形成されるようにし、４つの温度ヒューズユニット４００とも、その１つの貫通孔がネジ４２１の取り付けに用いられるような構成とされても良い。
【０１１２】
さらに、上記実施の形態では、電線収容部４１３内に形成したガイド部２２６、４２７により、外部から加わる張力に対して温度ヒューズ４０１と電線４０６、４０７との接合部に加わる張力が小さくなるように電線４０６、４０７の引き回わすための構造が実現されている。しかしながら、これに限らず、たとえば、図１５に示すような構成とされても良い。即ち、電線収容部４１３内において、左側には、２つのガイド部４２６ａ、４２６ｂが形成され、右側にも、２つのガイド部４２７ａ、４２７ｂが形成される。この場合、電線４０６は、２つのガイド部４２６ａ、４２６ｂの間を縫うように配線されて、取出口４２８から引き出される。また、電線４０７は、２つのガイド部４２７ａ、４２７ｂの間を縫うように配線されて、取出口４２９から引き出される。
【０１１３】
さらに、上記実施の形態では、ヒューズホルダ４０２のリブ４２３、４２４と装着板２５１の係合リブ２５３、２５４により、温度ヒューズユニット４００の回り防止がなされているが、本発明の防止構造は、これに限られず、たとえば、装着板２５１に、リブ４２３、４２４の形状と同じＬ字型の穴部が形成され、リブ４２３、４２４が穴部に嵌り込むことにより、温度ヒューズユニット４００の回り防止がなされても良い。
【０１１４】
さらに、上記実施の形態のプロジェクタは、４つのランプユニット３００が備えられた、いわゆる４灯式のプロジェクタであるが、４灯以外の多灯式のプロジェクタであっても良い。たとえば、１つのランプユニット３００が備えられた、１灯式のプロジェクタであっても良い。この場合、ランプユニット３００が１つであれば、温度ヒューズユニット４００も１つとなる。
【０１１５】
さらに、上記実施の形態では、ランプ光源を用いたランプユニット３００により光源装置１０が構成されているが、ＬＥＤ光源やレーザ光源を用いた光源ユニットにより光源装置１０が構成されても良い。
【０１１６】
この他、本発明の実施の形態は、特許請求の範囲に示された技術的思想の範囲内において、適宜、種々の変更が可能である。
【符号の説明】
【０１１７】
１０  光源装置
１０２、１０３、１０４  液晶パネル（光変調部）
２００  ランプ装着ユニット
２１２  ランプ収容部（光源収容部）
２５０、２６０  ダクト
２５１、２６１  装着板（装着部）
３００  ランプユニット（光源部）
４００  温度ヒューズユニット
４０１  温度ヒューズ
４０２  ヒューズホルダ
４０３  ホルダカバー（カバー部）
４０６、４０７  電線
４０８  上面開口（開口）
４０９  前面開口（開口）
４１１  ヒューズ収容部
４１２  ネジ取付部（被装着部）
４１３  電線収容部
【図１】
2013029616.tif 000003
【図２】
2013029616.tif 000004
【図３】
2013029616.tif 000005
【図４】
2013029616.tif 000006
【図５】
2013029616.tif 000007
【図６】
2013029616.tif 000008
【図７】
2013029616.tif 000009
【図８】
2013029616.tif 000010
【図９】
2013029616.tif 000011
【図１０】
2013029616.tif 000012
【図１１】
2013029616.tif 000013
【図１２】
2013029616.tif 000014
【図１３】
2013029616.tif 000015
【図１４】
2013029616.tif 000016
【図１５】
2013029616.tif 000017